(57)【要約】【課題】本発明は、熱交換率を向上できる暖房システム及びその運転方法を提供することを目的とする。【解決手段】床暖房システム１は、バーナｇの燃焼により熱媒を加熱する熱交換器ＥＸを有する熱交加熱部Ｈ２と、通電することにより熱媒を加熱する電気ヒータＨ２と、を含む。制御部３０は、温度センサＴＳで測定された戻り熱媒温度が、温度Ｔ１に上昇するまで、床暖房端末２０に供給される前の熱媒を熱交換器ＥＸにおけるバーナｇの燃焼により行うように制御し、戻り熱媒温度が、温度Ｔ１に上昇すると、バーナｇの燃焼を停止し、床暖房端末２０に供給される前の熱媒の加熱を、電気ヒータＨ２の通電により行うように切り替えるように制御し、戻り熱媒温度が、温度Ｔ１未満の温度Ｔ２まで下降すると、床暖房端末２０に供給される前の熱媒の加熱をバーナｇの燃焼により行うように制御する。【選択図】図２
2019152398.tif 000002
【特許請求の範囲】
【請求項１】
熱媒が通流する循環経路と、前記循環経路を通流する熱媒を加熱する加熱部と、前記加熱部での熱媒の加熱を制御する制御部とを備え、前記加熱部から前記循環経路を介して少なくとも一の暖房端末に熱媒を供給し、前記暖房端末に供給された後の熱媒を前記循環経路を介して前記加熱部に戻す暖房システムであって、
前記加熱部は、
バーナの燃焼による熱と、前記循環経路を通流する熱媒との間で熱交換を行い、熱媒を加熱する熱交換器を有する熱交加熱部と、
通電することにより前記循環経路を通流する熱媒を加熱する電気ヒータと、を含み、
前記制御部は、
前記暖房端末に供給された後の熱媒の温度が、所望の温度に対応する第１温度に上昇するまで、前記暖房端末に供給される前の熱媒の加熱を前記熱交換器におけるバーナの燃焼により行うように制御し、
前記暖房端末に供給された後の熱媒の温度が、前記第１温度に上昇すると、前記熱交換器におけるバーナの燃焼を停止し、前記暖房端末に供給される前の熱媒の加熱を、前記電気ヒータの通電により行うように切り替えるように制御し、
前記暖房端末に供給された後の熱媒の温度が、前記第１温度未満の第２温度まで下降すると、前記暖房端末に供給される前の熱媒の加熱を前記熱交換器におけるバーナの燃焼により行うように制御する、暖房システム。
【請求項２】
熱媒が通流する循環経路と、前記循環経路を通流する熱媒を加熱する加熱部と、前記加熱部での熱媒の加熱を制御する制御部とを備え、前記加熱部から前記循環経路を介して少なくとも一の暖房端末に熱媒を供給し、前記暖房端末に供給された後の熱媒を前記循環経路を介して前記加熱部に戻す暖房システムであって、
前記加熱部は、
バーナの燃焼による熱と、前記循環経路を通流する熱媒との間で熱交換を行い、熱媒を加熱する熱交換器を有する熱交加熱部と、
通電することにより前記循環経路を通流する熱媒を加熱する電気ヒータと、を含み、
前記制御部は、
前記暖房端末に供給された後の熱媒の温度が、所望の温度に対応する第１温度に上昇するまで、前記暖房端末に供給される前の熱媒の加熱を前記熱交換器におけるバーナの燃焼により行うように制御し、
前記暖房端末に供給された後の熱媒の温度が、前記第１温度に上昇すると、前記熱交換器におけるバーナの燃焼を停止させ、その後、前記暖房端末に供給された後の熱媒の温度が、前記第１温度未満の第２温度まで下降すると、前記暖房端末に供給される前の熱媒の加熱を前記熱交換器におけるバーナの燃焼により行う、バーナの燃焼及び停止のサイクルを１回とする間欠運転を実行するように制御し、
前記間欠運転が所定時間内において所定回数以上になると、前記熱交換器におけるバーナの燃焼を停止し、前記暖房端末に供給される前の熱媒の加熱を前記電気ヒータの通電により行うように切り替えるように制御する、暖房システム。
【請求項３】
前記制御部は、
前記暖房端末に供給された後の熱媒の温度の変化に基づいて、前記電気ヒータの通電量を制御する、請求項１又は２に記載の暖房システム。
【請求項４】
前記制御部は、前記バーナの燃焼を停止した後、前記電気ヒータの通電開始からの経過時間に応じて、前記電気ヒータの通電量が大きくなるように制御する、請求項３に記載の暖房システム。
【請求項５】
熱媒が通流する循環経路と、前記循環経路を通流する熱媒を加熱する加熱部と、前記加熱部での熱媒の加熱を制御する制御部とを備え、前記加熱部から前記循環経路を介して少なくとも一の暖房端末に熱媒を供給し、前記暖房端末に供給された後の熱媒を前記循環経路を介して前記加熱部に戻す暖房システムの運転方法であって、
前記加熱部は、
バーナの燃焼による熱と、前記循環経路を通流する熱媒との間で熱交換を行い、熱媒を加熱する熱交換器を有する熱交加熱部と、
通電することにより前記循環経路を通流する熱媒を加熱する電気ヒータと、を含み、
前記制御部は、
前記暖房端末に供給された後の熱媒の温度が、所望の温度に対応する第１温度に上昇するまで、前記暖房端末に供給される前の熱媒の加熱を前記熱交換器におけるバーナの燃焼により行うように制御し、
前記暖房端末に供給された後の熱媒の温度が、前記第１温度に上昇すると、前記熱交換器におけるバーナの燃焼を停止し、前記暖房端末に供給される前の熱媒の加熱を、前記電気ヒータの通電により行うように切り替えるように制御し、
前記暖房端末に供給された後の熱媒の温度が、前記第１温度未満の第２温度まで下降すると、前記暖房端末に供給される前の熱媒の加熱を前記熱交換器におけるバーナの燃焼により行うように制御する、暖房システムの運転方法。
【請求項６】
熱媒が通流する循環経路と、前記循環経路を通流する熱媒を加熱する加熱部と、前記加熱部での熱媒の加熱を制御する制御部とを備え、前記加熱部から前記循環経路を介して少なくとも一の暖房端末に熱媒を供給し、前記暖房端末に供給された後の熱媒を前記循環経路を介して前記加熱部に戻す暖房システムであって、
前記加熱部は、
バーナの燃焼による熱と、前記循環経路を通流する熱媒との間で熱交換を行い、熱媒を加熱する熱交換器を有する熱交加熱部と、
通電することにより前記循環経路を通流する熱媒を加熱する電気ヒータと、を含み、
前記制御部は、
前記暖房端末に供給された後の熱媒の温度が、所望の温度に対応する第１温度に上昇するまで、前記暖房端末に供給される前の熱媒の加熱を前記熱交換器におけるバーナの燃焼により行うように制御し、
前記暖房端末に供給された後の熱媒の温度が、前記第１温度に上昇すると、前記熱交換器におけるバーナの燃焼を停止させ、その後、前記暖房端末に供給された後の熱媒の温度が、前記第１温度未満の第２温度まで下降すると、前記暖房端末に供給される前の熱媒の加熱を前記熱交換器におけるバーナの燃焼により行う、バーナの燃焼及び停止のサイクルを１回とする間欠運転を実行するように制御し、
前記間欠運転が所定時間内において所定回数以上になると、前記熱交換器におけるバーナの燃焼を停止し、前記暖房端末に供給される前の熱媒の加熱を前記電気ヒータの通電により行うように切り替えるように制御する、暖房システムの運転方法。
【発明の詳細な説明】
【技術分野】
【０００１】
本発明は、暖房システム及びその運転方法に関する。
【背景技術】
【０００２】
特許文献１には、温水と燃焼排ガスとの間で熱交換を行う熱交換器と、熱交換器の上流側の上流側温水循環路に設けられた電気ヒータと、熱交換器の下流側から温水の供給を受ける床暖房パネルとを備える暖房機が開示されている。床暖房パネルでの暖房が開始されると、まず電気ヒータが通電されて水が加熱される。そして、電気ヒータで加熱された温水が熱交換器に入り、バーナの燃焼による燃焼排ガスの熱によって温水がさらに加熱される。つまり、特許文献１では、バーナの燃焼に加えて電気ヒータの加熱によって温水が加熱される。
【０００３】
このように熱交換器に水を供給する前に電気ヒータによって加熱することで、床暖房運転の開始時に熱交換器内に配置された配管表面に発生する結露水を減少できる。これにより、結露水が原因で発生する故障等を減少させることができる。
なお、電気ヒータの温度が所定の温度以上になると、熱交換器内の配管での結露が十分に減少するので、電気ヒータの通電が停止される。
【先行技術文献】
【特許文献】
【０００４】
【特許文献１】特開２０１１−１７５１１号公報
【発明の概要】
【発明が解決しようとする課題】
【０００５】
しかし、特許文献１の暖房機では、電気ヒータによる温水の加熱と、熱交換器でのバーナの燃焼による温水の加熱とを同時に行っているため、熱交換器での熱交換率が悪い。つまり、熱交換器には電気ヒータで加熱された温水が導入されるため、熱交換器でのバーナの燃焼による燃焼排ガスの熱と温水との温度差は、加熱されていない水が熱交換器に導入される場合に比べて小さくなり熱交換率が低下する。
【０００６】
また、電気ヒータの温度が所定の温度以上になると、熱交換器内の配管での結露が十分に減少するので、電気ヒータの通電が停止される。電気ヒータが停止されると、温水は、熱交換器におけるバーナの燃焼による燃焼排ガスの熱のみによって加熱される。この場合、温水の温度を所望の温度に維持するために、加熱が不足するときはバーナによる燃焼が行われ、一方、加熱が過剰となるときはバーナの燃焼が停止される。このようにバーナの燃焼及び停止が切り替えられる間欠運転によって、切り替え時に生じた燃焼排ガスの熱が排熱される。これにより、熱交換器の温度が下がり、熱交換率が悪くなる。
【０００７】
そこで、本発明は上述の課題に鑑みてなされたものであり、熱交換率を向上できる暖房システム及びその運転方法を提供することを目的とする。
【課題を解決するための手段】
【０００８】
本発明に係る暖房システムの特徴構成は、
熱媒が通流する循環経路と、前記循環経路を通流する熱媒を加熱する加熱部と、前記加熱部での熱媒の加熱を制御する制御部とを備え、前記加熱部から前記循環経路を介して少なくとも一の暖房端末に熱媒を供給し、前記暖房端末に供給された後の熱媒を前記循環経路を介して前記加熱部に戻す暖房システムであって、
前記加熱部は、
バーナの燃焼による熱と、前記循環経路を通流する熱媒との間で熱交換を行い、熱媒を加熱する熱交換器を有する熱交加熱部と、
通電することにより前記循環経路を通流する熱媒を加熱する電気ヒータと、を含み、
前記制御部は、
前記暖房端末に供給された後の熱媒の温度が、所望の温度に対応する第１温度に上昇するまで、前記暖房端末に供給される前の熱媒の加熱を前記熱交換器におけるバーナの燃焼により行うように制御し、
前記暖房端末に供給された後の熱媒の温度が、前記第１温度に上昇すると、前記熱交換器におけるバーナの燃焼を停止し、前記暖房端末に供給される前の熱媒の加熱を、前記電気ヒータの通電により行うように切り替えるように制御し、
前記暖房端末に供給された後の熱媒の温度が、前記第１温度未満の第２温度まで下降すると、前記暖房端末に供給される前の熱媒の加熱を前記熱交換器におけるバーナの燃焼により行うように制御する点にある。
【０００９】
本特徴構成によれば、暖房端末に供給された後の熱媒の温度を、所望の温度に対応する第１温度まで上昇させる場合は、制御部は、暖房端末に供給される前の熱媒をバーナの燃焼により加熱するように制御し、第１温度から第２温度に下降するまでは暖房端末に供給される前の熱媒を電気ヒータにより加熱するように制御する。つまり、暖房端末に供給された後の熱媒の温度に応じて、暖房端末に供給される前の熱媒の加熱を、バーナの燃焼により行う場合と、電気ヒータにより行う場合とに切り替えて行う。よって、バーナの燃焼と電気ヒータの通電とが重複して行われず、電気ヒータで加熱した熱媒を、バーナの燃焼を用いた熱交換器でさらに加熱することによる熱交換率の低下を抑制できる。
【００１０】
また、暖房端末に供給された後の熱媒の温度が、バーナの燃焼により第１温度まで上昇した後は、制御部は、バーナの燃焼を停止させて電気ヒータを通電し、第１温度からの温度の低下速度を電気ヒータの通電により補完することで遅らせる。これにより、バーナの燃焼の再開を遅らせることができる。よって、電気ヒータを用いることで、バーナの燃焼、停止及び再開を繰り返す間欠運転の回数が多くなるのを抑制できる。そのため、間欠運転によって生じる排熱によって、熱交換器の温度が下がるのを抑制し、熱交換率を向上できる。
【００１１】
本発明に係る暖房システムの特徴構成は、
熱媒が通流する循環経路と、前記循環経路を通流する熱媒を加熱する加熱部と、前記加熱部での熱媒の加熱を制御する制御部とを備え、前記加熱部から前記循環経路を介して少なくとも一の暖房端末に熱媒を供給し、前記暖房端末に供給された後の熱媒を前記循環経路を介して前記加熱部に戻す暖房システムであって、
前記加熱部は、
バーナの燃焼による熱と、前記循環経路を通流する熱媒との間で熱交換を行い、熱媒を加熱する熱交換器を有する熱交加熱部と、
通電することにより前記循環経路を通流する熱媒を加熱する電気ヒータと、を含み、
前記制御部は、
前記暖房端末に供給された後の熱媒の温度が、所望の温度に対応する第１温度に上昇するまで、前記暖房端末に供給される前の熱媒の加熱を前記熱交換器におけるバーナの燃焼により行うように制御し、
前記暖房端末に供給された後の熱媒の温度が、前記第１温度に上昇すると、前記熱交換器におけるバーナの燃焼を停止させ、その後、前記暖房端末に供給された後の熱媒の温度が、前記第１温度未満の第２温度まで下降すると、前記暖房端末に供給される前の熱媒の加熱を前記熱交換器におけるバーナの燃焼により行う、バーナの燃焼及び停止のサイクルを１回とする間欠運転を実行するように制御し、
前記間欠運転が所定時間内において所定回数以上になると、前記熱交換器におけるバーナの燃焼を停止し、前記暖房端末に供給される前の熱媒の加熱を前記電気ヒータの通電により行うように切り替えるように制御する点にある。
【００１２】
バーナの間欠運転が所定時間内において所定回数以上に亘って繰り返されるということは、暖房端末に供給された後の熱媒の温度が、測定誤差及び外乱等により瞬間的に第１温度まで上昇したのではなく、第１温度まで上昇した後、第１温度と第２温度との間の所定の温度範囲内で継続的に上下動していることが分かる。つまり、暖房端末に供給された後の熱媒の温度が、所定の温度範囲内で上下動する程度に第１温度に近い状態で変動していることを正確に把握することができる。
【００１３】
そこで、本特徴構成によれば、前述の状態になった場合には、制御部は、バーナの燃焼を停止させて電気ヒータを通電し、第１温度からの温度の低下速度を電気ヒータの通電により補完することで遅らせる。これにより、バーナの燃焼の再開を遅らせることができる。よって、電気ヒータを用いることで、バーナの燃焼、停止及び再開を繰り返す間欠運転の回数が多くなるのを抑制できる。
【００１４】
以上より、測定誤差及び外乱等による瞬間的な第１温度への変動に左右されることなく、バーナの燃焼による熱媒の加熱と、電気ヒータの通電による熱媒の加熱とを切り替えることができる。また、瞬間的な温度の変動に左右されないため、瞬時の切換による熱交換器及び電気ヒータへの負荷を減らし、床暖房システム全体として負荷が抑制された熱交換効率の良い運転ができる。
【００１５】
本発明に係る暖房システムの更なる特徴構成は、
前記制御部は、
前記暖房端末に供給された後の熱媒の温度の変化に基づいて、前記電気ヒータの通電量を制御する点にある。
【００１６】
本特徴構成によれば、制御部が、熱媒の温度の変化に応じて電気ヒータの通電量を制御することで、熱媒の温度が所望の温度に調整される。
【００１７】
本発明に係る暖房システムの更なる特徴構成は、
前記制御部は、前記バーナの燃焼を停止した後、前記電気ヒータの通電開始からの経過時間に応じて、前記電気ヒータの通電量が大きくなるように制御する点にある。
【００１８】
電気ヒータの通電による単位時間あたりの熱媒の加熱量は、バーナの燃焼による単位時間あたりの熱媒の加熱量よりも比較的に小さい。よって、バーナの燃焼が停止された後に、電気ヒータの通電により熱媒の加熱が行われても、時間の経過とともに、熱媒の温度は低下する。そこで、本特徴構成によれば、制御部は、バーナの燃焼を停止した後は、時間の経過とともに電気ヒータの通電量が大きくなるように制御する。これにより熱媒の温度の低下を抑制できる。
【００１９】
本発明に係る暖房システムの運転方法の特徴構成は、
熱媒が通流する循環経路と、前記循環経路を通流する熱媒を加熱する加熱部と、前記加熱部での熱媒の加熱を制御する制御部とを備え、前記加熱部から前記循環経路を介して少なくとも一の暖房端末に熱媒を供給し、前記暖房端末に供給された後の熱媒を前記循環経路を介して前記加熱部に戻す暖房システムの運転方法であって、
前記加熱部は、
バーナの燃焼による熱と、前記循環経路を通流する熱媒との間で熱交換を行い、熱媒を加熱する熱交換器を有する熱交加熱部と、
通電することにより前記循環経路を通流する熱媒を加熱する電気ヒータと、を含み、
前記制御部は、
前記暖房端末に供給された後の熱媒の温度が、所望の温度に対応する第１温度に上昇するまで、前記暖房端末に供給される前の熱媒の加熱を前記熱交換器におけるバーナの燃焼により行うように制御し、
前記暖房端末に供給された後の熱媒の温度が、前記第１温度に上昇すると、前記熱交換器におけるバーナの燃焼を停止し、前記暖房端末に供給される前の熱媒の加熱を、前記電気ヒータの通電により行うように切り替えるように制御し、
前記暖房端末に供給された後の熱媒の温度が、前記第１温度未満の第２温度まで下降すると、前記暖房端末に供給される前の熱媒の加熱を前記熱交換器におけるバーナの燃焼により行うように制御する点にある。
【００２０】
本特徴構成によれば、バーナの燃焼と電気ヒータの通電とが重複して行われず、電気ヒータで加熱した熱媒を、バーナの燃焼を用いた熱交換器でさらに加熱することによる熱交換率の低下を抑制できる。
また、間欠運転によって生じる排熱によって、熱交換器の温度が下がるのを抑制し、熱交換率を向上できる。
【００２１】
本発明に係る暖房システムの運転方法の特徴構成は、
熱媒が通流する循環経路と、前記循環経路を通流する熱媒を加熱する加熱部と、前記加熱部での熱媒の加熱を制御する制御部とを備え、前記加熱部から前記循環経路を介して少なくとも一の暖房端末に熱媒を供給し、前記暖房端末に供給された後の熱媒を前記循環経路を介して前記加熱部に戻す暖房システムであって、
前記加熱部は、
バーナの燃焼による熱と、前記循環経路を通流する熱媒との間で熱交換を行い、熱媒を加熱する熱交換器を有する熱交加熱部と、
通電することにより前記循環経路を通流する熱媒を加熱する電気ヒータと、を含み、
前記制御部は、
前記暖房端末に供給された後の熱媒の温度が、所望の温度に対応する第１温度に上昇するまで、前記暖房端末に供給される前の熱媒の加熱を前記熱交換器におけるバーナの燃焼により行うように制御し、
前記暖房端末に供給された後の熱媒の温度が、前記第１温度に上昇すると、前記熱交換器におけるバーナの燃焼を停止させ、その後、前記暖房端末に供給された後の熱媒の温度が、前記第１温度未満の第２温度まで下降すると、前記暖房端末に供給される前の熱媒の加熱を前記熱交換器におけるバーナの燃焼により行う、バーナの燃焼及び停止のサイクルを１回とする間欠運転を実行するように制御し、
前記間欠運転が所定時間内において所定回数以上になると、前記熱交換器におけるバーナの燃焼を停止し、前記暖房端末に供給される前の熱媒の加熱を前記電気ヒータの通電により行うように切り替えるように制御する点にある。
【００２２】
本特徴構成によれば、バーナの燃焼の停止及び再開が繰り返される間欠運転が行われる場合は、電気ヒータを用いて熱媒を加熱することで、バーナの燃焼、停止及び再開を繰り返す間欠運転の回数が多くなるのを抑制できる。
また、測定誤差及び外乱等による瞬間的な第１温度への変動に左右されることなく、床暖房システム全体として負荷が抑制された熱交換効率の良い運転ができる。
【図面の簡単な説明】
【００２３】
【図１】床暖房システムの全体概略構成を示すブロック図である。
【図２】熱交加熱部と電気ヒータとの切り替えによる熱媒の加熱制御を模式的に示した模式図である。
【図３】図２の熱媒の加熱制御の流れを示すフローチャートの一例である。
【図４】熱交加熱部による間欠運転後に電気ヒータに切り替える熱媒の加熱制御を模式的に示した模式図である。
【図５】図４の加熱制御の流れを示すフローチャートの一例である。
【発明を実施するための形態】
【００２４】
〔実施形態〕
以下に、本発明の実施形態に係る床暖房システム（暖房システム）１について説明する。
【００２５】
（１）床暖房システムの構成
図１に示すように、床暖房システム１は、熱媒（これに限定されないが、例えば、水）を加熱する熱交加熱部（加熱部）Ｈ１を有する熱源機１０と、熱媒を加熱する電気ヒータ（加熱部）Ｈ２と、熱源機１０で加熱された熱媒及び電気ヒータＨ２で加熱された熱媒の供給を受ける床暖房端末（暖房端末）２０と、床暖房端末２０への熱媒の供給を断続する熱動弁Ｖと、熱交加熱部Ｈ１及び電気ヒータＨ２での熱媒の加熱を制御し、床暖房システム１全体における熱媒の加熱制御、ポンプＰの作動及び停止、熱動弁Ｖの開閉等を行う制御部３０と、制御部３０での加熱制御を含む各種制御を実行するためのプログラム、各種閾値等を記憶している記憶部３５と、利用者から床暖房端末２０の作動、停止及び温度設定等の入力を操作部（図示せず）を介して受け付ける受付部４０とを備えている。
【００２６】
床暖房端末２０は、利用者から操作部（図示せず）を介して受付部４０が受け付けた入力に基づいて、制御部３０により制御される。受付部４０は、床暖房端末２０に対する作動、停止及び温度設定等を、操作部を介して利用者から受け付ける。なお、操作部は、例えば、床暖房端末２０による暖房対象空間に設けられている。
【００２７】
この床暖房端末２０は、暖房対象空間の床材の下方に配置されており、熱源機１０の熱交加熱部（加熱部）Ｈ１又は電気ヒータ（加熱部）Ｈ２で加熱された熱媒の通流により加熱作動する。床暖房端末２０は、パネル材２１に熱媒通流管２３が蛇行状に埋入状態で設けられて構成されている。
【００２８】
熱源機１０内には、後述の熱交加熱部Ｈ１の出口に熱媒往き路Ｌ１が接続されており、熱媒往き路Ｌ１は暖房往き路Ｌ３に接続されている。暖房往き路Ｌ３は、床暖房端末２０の熱媒通流管２３の入口に接続されている。暖房往き路Ｌ３には、ポンプＰ及び熱動弁Ｖが配置されている。制御部３０が熱動弁Ｖの開閉を制御し、ポンプＰを作動させることにより、床暖房端末２０に熱媒が間欠的に供給される。
【００２９】
例えば、制御部３０が熱動弁Ｖを開弁してポンプＰを作動させると、熱交加熱部Ｈ１の駆動及び電気ヒータＨ２の駆動の何れかで加熱された熱媒が、熱媒往き路Ｌ１から暖房往き路Ｌ３を介して床暖房端末２０に通流される。そして、床暖房端末２０において熱媒から熱が放熱され暖房対象空間が暖房される。
【００３０】
床暖房端末２０の熱媒通流管２３の出口は暖房戻り路Ｌ４に接続されている。よって、床暖房端末２０から出た熱媒は、暖房戻り路Ｌ４を介して熱源機１０に戻り、熱源機１０内に配置された熱媒戻り路Ｌ２と合流する。暖房戻り路Ｌ４には、床暖房端末２０から熱源機１０に戻る熱媒の温度（以下、戻り熱媒温度という）を測定する温度センサＴＳが設けられている。
【００３１】
温度センサＴＳは、熱媒が床暖房端末２０から熱源機１０に戻る流路である暖房戻り路Ｌ４に設けられているため、制御部３０は、床暖房端末２０での熱媒の温度を概ね正確に取得することができる。よって、後述の熱媒の加熱制御において、戻り熱媒温度に基づいて、バーナｇの燃焼停止、燃焼再開及び燃焼量の制御、電気ヒータＨ２の通電、停止及び通電量の制御等を精度よく行うことができる。
【００３２】
本実施形態では、制御部３０が、熱源機１０の熱交加熱部Ｈ１の駆動と、電気ヒータＨ２の駆動とを切り替えて、循環経路Ｌ１、Ｌ２、Ｌ３、Ｌ４（以下、Ｌ１〜Ｌ４と記載する）内の熱媒を加熱する。そして、熱交加熱部Ｈ１の駆動及び電気ヒータＨ２の駆動の何れかで加熱された熱媒が、循環経路Ｌ１〜Ｌ４内を熱媒が通流することで、床暖房端末２０に供給され床暖房端末２０が温められる。
【００３３】
ここで、熱交加熱部Ｈ１の駆動による熱媒の加熱は、後述するが、熱交換器ＥＸにおいて、バーナｇによる燃料ガスの燃焼により生じた燃焼排ガスの熱と熱媒との間で熱交換することにより行われる。
また、電気ヒータＨ２の駆動による熱媒の加熱は、通電により電気ヒータＨ２の加熱により生じた熱を熱媒に加えることにより行われる。
【００３４】
以下では、まず、熱源機１０の構成について説明する。
熱源機１０は、床暖房端末２０に供給する熱媒を加熱する熱交加熱部Ｈ１と、熱交加熱部Ｈ１に熱媒を供給する熱媒戻り路Ｌ２と、熱交加熱部Ｈ１から熱媒を排出する熱媒往き路Ｌ１とを備えている。
【００３５】
熱交加熱部Ｈ１は、バーナｇ及び熱交換器ＥＸを備えている。バーナｇには、燃料ガス（例えば、都市ガス１３Ａ）が供給され、燃料ガスを燃焼する。この燃料ガスの燃焼により生じる燃焼排ガスの熱が熱交換器ＥＸに供給される。熱交換器ＥＸの入口には、熱媒戻り路Ｌ２が接続されており、熱交換器ＥＸの出口には、暖房往き路Ｌ３まで延びる熱媒往き路Ｌ１が接続されている。
【００３６】
よって、熱媒往き路Ｌ１に設けられたポンプＰが駆動されると、熱媒戻り路Ｌ２を介して熱交換器ＥＸに熱媒が供給される。そして、熱交換器ＥＸは、この供給された熱媒と燃焼排ガスの熱との間で熱交換を行い、熱媒を加熱し、熱媒往き路Ｌ１へ排出する。そして、熱交換器ＥＸで加熱された熱媒は、前述の通り、熱媒往き路Ｌ１から暖房往き路Ｌ３を介して床暖房端末２０に供給される。
【００３７】
次に電気ヒータＨ２の構成について説明する。電気ヒータＨ２は、通電されることにより熱を生成する部材である。電気ヒータＨ２は、例えば図１に示すように、循環経路Ｌ１〜Ｌ４のうち暖房戻り路Ｌ４において、温度センサＴＳの下流側に設けられている。電気ヒータＨ２は、例えば、暖房戻り路Ｌ４に巻き付けられた状態、暖房戻り路Ｌ４に沿うように接触した状態等で設けられている。しかし、暖房戻り路Ｌ４を通流する熱媒を加熱可能であれば、暖房戻り路Ｌ４に接触して設けられている必要はなく、例えば、暖房戻り路Ｌ４から離間した位置に配置されていてもよい。
【００３８】
（２）熱媒の加熱制御
次に、制御部３０による、熱交加熱部Ｈ１の駆動による熱媒の加熱と、電気ヒータＨ２の駆動による熱媒の加熱とによる、熱媒の加熱制御について説明する。
熱媒の加熱制御の例として、本実施形態では、第１の加熱制御と第２の加熱制御とを以下に説明する。
【００３９】
第１の加熱制御では、熱交加熱部Ｈ１の駆動により熱媒を加熱している間は電気ヒータＨ２の駆動による熱媒の加熱を停止し、熱交加熱部Ｈ１の駆動による熱媒の加熱を停止している間は電気ヒータＨ２の駆動により熱媒を加熱する。
【００４０】
第２の加熱制御では、熱交加熱部Ｈ１の間欠運転が、所定時間内に所定回数以上になると、電気ヒータＨ２の駆動により熱媒を加熱する。ここで、間欠運転とは、所望の温度まで上昇すると熱交加熱部Ｈ１による熱媒の加熱を停止し、所望の温度からある程度、温度が低下すると熱交加熱部Ｈ１による熱媒の加熱を再開する運転である。
【００４１】
（２−１）第１の加熱制御
（ａ）第１の加熱制御の概要
まず、第１の加熱制御の概要について図２を用いて説明する。図２では、熱交加熱部Ｈ１及び電気ヒータＨ２の駆動制御により、横軸の時刻ｔの経過とともに、温度センサＴＳで測定された戻り熱媒温度が変化する様子が示されている。そして、制御部３０は、図２に示すように、循環経路Ｌ１〜Ｌ４を通流する熱媒の加熱を、熱交加熱部Ｈ１の駆動による加熱（図２中のＨ１）と、電気ヒータＨ２の駆動による加熱（図２中のＨ２）とを切り替えて行う。
【００４２】
まず、制御部３０は、受付部４０から、例えば時刻ｔ０において、床暖房端末２０への運転開始と、所望の温度とを取得する。ユーザは、例えば、所望の温度として、床暖房端末２０が備えられた設置空間の所望の加熱温度及び所望の加熱強度等を受付部４０に入力する。
【００４３】
図２の場合、受付部４０は、設置空間に設定する所望の加熱温度等として、例えば、温度Ｔ１（第１温度）を受け付けたものとする。以下では、制御部３０は、設置空間の温度を温度センサＴＳが取得した戻り熱媒温度に基づいて判断する。つまり、ここでは、簡単のために、設置空間の温度を戻り熱媒温度と一致しているとみなす。よって、制御部３０は、設置空間が所望の温度Ｔ１に達したか否かを戻り熱媒温度に基づいて判断する。そして、制御部３０は、戻り熱媒温度を基準に熱交加熱部Ｈ１と電気ヒータＨ２とを切り替えて駆動するものとする。
ただし、設置空間の温度と戻り熱媒の温度とが必ずしも一致している必要はなく、ある程度の相関関係を有している場合であってもよい。
【００４４】
（ｉ）時刻ｔ０から時刻ｔ１前まで（初期運転）
図２において、運転開始時の初期運転において、時刻ｔ０では戻り熱媒温度は温度Ｔ０であり、最終の所望の加熱温度（戻り熱媒温度）は温度Ｔ１である。よって、制御部３０は、時刻ｔ０から時刻ｔ１前までは、戻り熱媒温度を所望の温度Ｔ１に近づけるために、熱交加熱部Ｈ１の駆動を比例制御する。
【００４５】
つまり、時刻ｔ０から時刻ｔ１前までは、現在の時刻での戻り熱媒温度と、最終の所望の戻り熱媒温度Ｔ１との差分の大きさに応じて、熱交加熱部Ｈ１の駆動を調整する。例えば、制御部３０は、バーナｇに供給する燃料ガスの量を調整し、バーナｇによる燃料ガスの燃焼量を調整する。
【００４６】
これにより、制御部３０は、前述の差分が大きい場合には、熱交加熱部Ｈ１の駆動が大きくなるように、つまりバーナｇによる燃料ガスの燃焼量が大きくなるように調整する。一方、制御部３０は、前述の差分が小さい場合には、熱交加熱部Ｈ１の駆動が小さくなるように、つまりバーナｇによる燃料ガスの燃焼量が小さくなるように調整する。
【００４７】
図２の場合、時刻ｔ０から時刻ｔ０ａ前までは、制御部３０は、現在の時刻での戻り熱媒温度と、最終の所望の戻り熱媒温度Ｔ１との差分が大きいと判断し、熱交加熱部Ｈ１の駆動が大きくなるように制御して熱媒を加熱する。
【００４８】
次に、時刻ｔ０ａから時刻ｔ１前までは、制御部３０は、現在の時刻での戻り熱媒温度と、最終の所望の戻り熱媒温度Ｔ１との差分が小さくなってきていると判断し、熱交加熱部Ｈ１の駆動が小さくなるように制御して熱媒を加熱する。
【００４９】
（ｉｉ）時刻ｔ１から時刻ｔ１ａ前まで（切替運転）
次に、制御部３０は、時刻ｔ１において、戻り熱媒温度が温度Ｔ１に上昇したと判断する。制御部３０は、熱交加熱部Ｈ１の駆動を停止し、電気ヒータＨ２の駆動による熱媒の加熱に切り替える。
【００５０】
ここで、熱交加熱部Ｈ１の駆動による熱媒の加熱能力よりも、電気ヒータＨ２の駆動による熱媒の加熱能力の方が小さい。つまり、熱交加熱部Ｈ１の駆動により熱媒に供給可能な熱量よりも、電気ヒータＨ２の駆動により熱媒に供給可能な熱量の方が小さい。
よって、時刻ｔ１から時刻ｔ１ａにかけて、戻り熱媒温度が温度Ｔ１から温度Ｔ２（第２温度）に向かって下降している。
【００５１】
（ｉｉｉ）時刻ｔ１ａから時刻ｔ１ｂ前まで（切替運転）
次に、制御部３０は、時刻ｔ１ａにおいて、戻り熱媒温度が温度Ｔ２に下降したと判断する。制御部３０は、電気ヒータＨ２の駆動を停止し、熱交加熱部Ｈ１の駆動による熱媒の加熱に切り替える。
よって、時刻ｔ１ａから時刻ｔ１ｂにかけて、戻り熱媒温度が温度Ｔ２から温度Ｔ１に向かって上昇している。
【００５２】
ここで、戻り熱媒温度の温度Ｔ２は、電気ヒータＨ２の駆動による熱媒の加熱から、熱交加熱部Ｈ１の駆動による熱媒の加熱への切り替えの基準温度である。この温度Ｔ２は、所望の温度Ｔ１よりも所定値だけ小さい値であり、特に限定されない。しかし、電気ヒータＨ２の駆動から熱交加熱部Ｈ１の駆動への切り替えにより、例えば電気ヒータＨ２の停止及び熱交加熱部Ｈ１の駆動開始に支障を与えないような温度Ｔ２を設定するのが好ましい。また、温度Ｔ２は、所望の温度Ｔ１から離れすぎない温度であるのが好ましい。例えば、温度Ｔ２は、所望の温度Ｔ１からの温度差が大き過ぎず、かつ、電気ヒータＨ２の駆動と熱交加熱部Ｈ１の駆動との切り替えが頻繁に起こりすぎないような温度に設定されているのが好ましい。
【００５３】
（ｉｖ）時刻ｔ１ｂから時刻ｔ１ｃ前まで（切替運転）
次に、制御部３０は、時刻ｔ１ｂにおいて、戻り熱媒温度が温度Ｔ１に上昇したと判断する。制御部３０は、熱交加熱部Ｈ１の駆動を停止し、電気ヒータＨ２の駆動による熱媒の加熱に切り替える。
よって、時刻ｔ１ｂから時刻ｔ１ｃにかけて、戻り熱媒温度が温度Ｔ１から温度Ｔ２に向かって下降している。
【００５４】
（ｖ）時刻ｔ１ｃから時刻ｔ２前まで（切替運転）
同様に、時刻ｔ１ｃからｔ２前まで、制御部３０は、戻り熱媒温度に基づいて上記の動作を繰り返す。つまり、戻り熱媒温度が温度Ｔ２に下降すると、制御部３０は、電気ヒータＨ２の駆動を停止し、熱交加熱部Ｈ１の駆動による熱媒の加熱に切り替える。一方、戻り熱媒温度が温度Ｔ１に上昇すると、制御部３０は、熱交加熱部Ｈ１の駆動を停止し、電気ヒータＨ２の駆動による熱媒の加熱に切り替える。
【００５５】
（ｖｉ）時刻ｔ２から時刻ｔ３以降（切替運転）
時刻ｔ２では、戻り熱媒温度が温度Ｔ１に上昇したと判断すると、制御部３０は、熱交加熱部Ｈ１の駆動を停止し、電気ヒータＨ２の駆動による熱媒の加熱に切り替える。この場合、制御部３０は、戻り熱媒温度の変化に基づいて、電気ヒータＨ２の通電量を制御し、戻り熱媒温度を制御してもよい。
【００５６】
例えば、図２に示すように、制御部３０は、戻り熱媒温度が温度Ｔ１から下降し始めており、温度Ｔ１と下降後の戻り熱媒温度との差が小さいと判断している間（時刻ｔ２から時刻ｔ３前まで）は、電気ヒータＨ２の通電量を小さく制御する。一方、制御部３０は、温度Ｔ１と下降後の戻り熱媒温度との差が大きいと判断している間（時刻ｔ３以降）は、電気ヒータＨ２の通電量を大きく制御する。
このように戻り熱媒温度の変化に応じて電気ヒータＨ２の通電量を制御することで、戻り熱媒温度が所望の温度に調整される。
【００５７】
また、制御部３０は、熱交加熱部Ｈ１の駆動を停止し、電気ヒータＨ２の駆動による熱媒の加熱に切り替えてからの経過時間に応じて、電気ヒータＨ２の通電量が大きくなるように制御してもよい。
【００５８】
電気ヒータＨ２の通電による単位時間あたりの熱媒の加熱量は、熱交加熱部Ｈ１の駆動による単位時間あたりの熱媒の加熱量よりも比較的に小さい。よって、熱交加熱部Ｈ１の駆動が停止された後に、電気ヒータＨ２の通電により熱媒の加熱が行われても、時間の経過とともに、戻り熱媒温度は低下する傾向にある。そこで、制御部３０は、熱交加熱部Ｈ１の駆動を停止した後は、時間の経過とともに電気ヒータＨ２の通電量が大きくなるように制御する。これにより戻り熱媒温度の低下を抑制できる。
【００５９】
電気ヒータＨ２の通電による熱媒の加熱後、時刻ｔ３以降においてさらに戻り熱媒温度が低下して温度Ｔ２に下降すると、制御部３０は、前述と同様に、電気ヒータＨ２の駆動による熱媒の加熱を停止し、熱交加熱部Ｈ１の駆動による熱媒の加熱に切り替える。これ以降、同様の制御がなされる。
【００６０】
なお、上記では、制御部３０は、時刻ｔ２以降では、電気ヒータＨ２の通電量を制御している。しかし、このような電気ヒータＨ２の通電量の制御は、時刻ｔ１から時刻ｔ１ａ前まで、時刻ｔ１ｂから時刻ｔ１ｃ前まで、時刻ｔ１ｄから時刻ｔ１ｅ前まで等において行われてもよい。
【００６１】
（ｂ）第１の加熱制御の流れ
次に、第１の加熱制御の流れについて図３を用いて説明する。
ステップＳ１：制御部３０は、設置空間の所望の加熱温度Ｔ１の入力を受付部４０を介してユーザから受け付ける。制御部３０は、運転開始時の初期運転（図２の時刻ｔ０から時刻ｔ１前まで）においては、熱交加熱部Ｈ１の駆動を比例制御し、熱媒を加熱するように制御する。
【００６２】
ステップＳ２：制御部３０は、戻り熱媒温度が初期の温度Ｔ０から温度Ｔ１に上昇したか否かを判断する。制御部３０は、戻り熱媒温度が温度Ｔ１に上昇している場合（ステップＳ２においてＹｅｓ）には、ステップＳ３に処理を進める。一方、制御部３０は、戻り熱媒温度が温度Ｔ１に上昇していない場合（ステップＳ２においてＮｏ）には、熱交加熱部Ｈ１の駆動による熱媒の加熱を継続するように制御する。
【００６３】
ステップＳ３：制御部３０は、戻り熱媒温度が温度Ｔ１に上昇しているため、熱交加熱部Ｈ１の駆動を停止し、電気ヒータＨ２の駆動による熱媒の加熱に切り替える（図２の時刻ｔ１、ｔ１ｂ、ｔ１ｄ、ｔ２等：切替運転）。
【００６４】
ステップＳ４：制御部３０は、戻り熱媒温度が温度Ｔ２に下降したか否かを判断する。制御部３０は、戻り熱媒温度が温度Ｔ２に下降している場合（ステップＳ４においてＹｅｓ）には、ステップＳ５に処理を進める。一方、制御部３０は、戻り熱媒温度が温度Ｔ２に下降していない場合（ステップＳ４においてＮｏ）には、電気ヒータＨ２の駆動による熱媒の加熱を継続するように制御する。
【００６５】
ステップＳ５：制御部３０は、戻り熱媒温度が温度Ｔ２に下降しているため、電気ヒータＨ２の駆動を停止し、熱交加熱部Ｈ１の駆動による熱媒の加熱に切り替える（図２の時刻ｔ１ａ、ｔ１ｃ、ｔ１ｅ等：切替運転）。
【００６６】
ステップＳ６：さらに、制御部３０は、戻り熱媒温度が温度Ｔ１に上昇したか否かを判断する。戻り熱媒温度が温度Ｔ１に上昇している場合（ステップＳ６においてＹｅｓ）には、ステップＳ３に処理を戻す。一方、制御部３０は、戻り熱媒温度が温度Ｔ１に上昇していない場合（ステップＳ６においてＮｏ）には、熱交加熱部Ｈ１の駆動による熱媒の加熱を継続するように制御する。
【００６７】
（ｃ）第１の加熱制御による作用効果
上記の構成によれば、床暖房端末２０に供給された後の熱媒の温度を、所望の温度に対応する温度Ｔ１まで上昇させる場合は、制御部３０は、床暖房端末２０に供給される前の熱媒を熱交加熱部Ｈ１の駆動により加熱するように制御し、温度Ｔ１から温度Ｔ２に下降するまでは床暖房端末２０に供給される前の熱媒を電気ヒータＨ２の駆動により加熱するように制御する。つまり、床暖房端末２０に供給された後の熱媒の温度に応じて、床暖房端末２０に供給される前の熱媒の加熱を、熱交加熱部Ｈ１の駆動により行う場合と、電気ヒータＨ２の駆動により行う場合とに切り替えて行う。よって、熱交加熱部Ｈ１の駆動と電気ヒータＨ２の駆動とが重複して行われず、電気ヒータＨ２で加熱した熱媒を、熱交加熱部Ｈ１でさらに加熱することによる熱交換率の低下を抑制できる。
【００６８】
また、床暖房端末２０に供給された後の熱媒の温度が、熱交加熱部Ｈ１により温度Ｔ１まで上昇した後は、制御部３０は、熱交加熱部Ｈ１の駆動を停止させて電気ヒータＨ２を通電し、温度Ｔ１からの温度の低下速度を電気ヒータＨ２の通電により補完することで遅らせる。これにより、熱交加熱部Ｈ１の駆動再開を遅らせることができる。よって、電気ヒータＨ２を用いることで、熱交加熱部Ｈ１の駆動、停止及び再開を繰り返す間欠運転の回数が多くなるのを抑制できる。そのため、間欠運転によって生じる排熱によって、熱交換器ＥＸの温度が下がるのを抑制し、熱交換率を向上できる。
【００６９】
（２−２）第２の加熱制御
（ａ）第２の加熱制御の概要
次に、第２の加熱制御の概要について図４を用いて説明する。図４では、熱交加熱部Ｈ１の駆動による加熱（図２中のＨ１）と、電気ヒータＨ２の駆動による加熱（図２中のＨ２）とが制御されることにより、横軸の時刻ｔの経過とともに、温度センサＴＳで測定された戻り熱媒温度が変化する様子が示されている。
【００７０】
そして、図２で示す第１の加熱制御とは異なり、制御部３０は、図４に示すように、循環経路Ｌ１〜Ｌ４を通流する熱媒の加熱するにあたって、熱交加熱部Ｈ１の間欠運転回数Ｎが、所定時間内に所定回数以上になった場合に、電気ヒータＨ２の駆動により熱媒を加熱するように切り替える。以下では第１の加熱制御と異なる点を主に説明し、第１の加熱制御と同様の点については説明を省略するか、簡単にする。
【００７１】
まず、制御部３０は、第１の加熱制御と同様に、受付部４０から、例えば時刻ｔ０において、床暖房端末２０への運転開始と、床暖房端末２０が備えられた設置空間の所望の加熱温度等として、例えば、温度Ｔ１（第１温度）を受け付けたものとする。
【００７２】
（ｉ）時刻ｔ０から時刻ｔ１前まで（初期運転）
図２において、運転開始時の初期運転において、時刻ｔ０では戻り熱媒温度は温度Ｔ０であり、最終の所望の加熱温度（戻り熱媒温度）は温度Ｔ１である。よって、制御部３０は、時刻ｔ０から時刻ｔ１前までは、戻り熱媒温度を所望の温度Ｔ１に近づけるために、熱交加熱部Ｈ１の駆動を比例制御する。
【００７３】
（ｉｉ）時刻ｔ１から時刻ｔ２前まで（間欠運転）
次に、制御部３０は、時刻ｔ１において、戻り熱媒温度が温度Ｔ１に上昇したと判断する。制御部３０は、熱交加熱部Ｈ１の駆動を停止する。この時刻ｔ１から時刻ｔ２前までの間欠運転では、電気ヒータＨ２の駆動も停止している。
熱交加熱部Ｈ１の駆動が停止され、熱媒の加熱が行われないため、時刻ｔ１から時刻ｔ１ａにかけて、戻り熱媒温度が温度Ｔ１から温度Ｔ４（第２温度）に向かって下降している。
【００７４】
ここで、戻り熱媒温度の温度Ｔ４は、熱交加熱部Ｈ１の駆動による熱媒の加熱の停止と再開とを切り替える基準温度である。この温度Ｔ４は、所望の温度Ｔ１よりも所定値だけ小さい値であり、特に限定されない。しかし、熱交加熱部Ｈ１の駆動による熱媒の加熱の停止及び再開が過度に繰り返されることにより、熱交加熱部Ｈ１が故障等しないような温度Ｔ４を設定するのが好ましい。また、温度Ｔ４は、所望の温度Ｔ１から離れすぎない温度であるのが好ましい。例えば、温度Ｔ４は、所望の温度Ｔ１からの温度差が大き過ぎず、かつ、熱交加熱部Ｈ１の駆動と停止とが頻繁に起こりすぎないような温度に設定されているのが好ましい。
【００７５】
そして、制御部３０は、熱交加熱部Ｈ１の駆動から停止の１サイクルを、間欠運転回数Ｎ＝“１”としてカウントする。時刻ｔ１より前の熱交加熱部Ｈ１が駆動している状態から、時刻ｔ１において熱交加熱部Ｈ１の駆動が停止されているので、制御部３０は、これらの駆動から停止の１サイクルを、間欠運転回数Ｎ＝“１”とカウントする。
【００７６】
次に、制御部３０は、時刻ｔ１ａにおいて、戻り熱媒温度が温度Ｔ４に下降したと判断する。制御部３０は、熱交加熱部Ｈ１の駆動を再開する。
熱交加熱部Ｈ１の駆動が再開され、熱媒が加熱されるため、時刻ｔ１ａから時刻ｔ１ｂにかけて、戻り熱媒温度が温度Ｔ４から温度Ｔ１に向かって上昇している。
【００７７】
次に、制御部３０は、時刻ｔ１ｂにおいて、戻り熱媒温度が温度Ｔ１に上昇したと判断する。制御部３０は、熱交加熱部Ｈ１の駆動を停止する。
熱交加熱部Ｈ１の駆動が停止され、熱媒の加熱が行われないため、時刻ｔ１ｂから時刻ｔ１ｃにかけて、戻り熱媒温度が温度Ｔ１から温度Ｔ４に向かって下降している。
【００７８】
そして、制御部３０は、時刻ｔ１ｂより前の熱交加熱部Ｈ１が駆動している状態から、時刻ｔ１ｂにおいて熱交加熱部Ｈ１の駆動が停止されているので、これらの駆動から停止の１サイクルを、間欠運転回数Ｎを加算して間欠運転回数Ｎ＝“２”とカウントする。
【００７９】
時刻ｔ１ｃからｔ２前まで、制御部３０は、戻り熱媒温度に基づいて上記の動作を繰り返す。つまり、戻り熱媒温度が温度Ｔ４に下降すると、制御部３０は、熱交加熱部Ｈ１の駆動による熱媒の加熱を再開し、一方、戻り熱媒温度が温度Ｔ１に上昇すると、熱交加熱部Ｈ１の駆動を停止する。
【００８０】
そして、制御部３０は、時刻ｔ１ｄより前の熱交加熱部Ｈ１が駆動している状態から、時刻ｔ１ｄにおいて熱交加熱部Ｈ１の駆動が停止されているので、間欠運転回数Ｎを加算して間欠運転回数Ｎ＝“３”とカウントする。
【００８１】
（ｉｉｉ）時刻ｔ２から時刻ｔ４前まで（切替運転）
次に、制御部３０は、時刻ｔ２において、戻り熱媒温度が温度Ｔ１に上昇したと判断する。制御部３０は、熱交加熱部Ｈ１の駆動を停止する。
さらに、制御部３０は、時刻ｔ２より前の熱交加熱部Ｈ１が駆動している状態から、時刻ｔ２において熱交加熱部Ｈ１の駆動が停止されているので、間欠運転回数Ｎを加算して間欠運転回数Ｎ＝“４”とカウントする。
【００８２】
制御部３０は、熱交加熱部Ｈ１の間欠運転が、所定時間Ｔｔｈ内に所定回数Ｎｔｈ以上になった場合に、電気ヒータＨ２の駆動により熱媒を加熱するように切り替える。例えば、時刻ｔ１から時刻ｔ１ｅまでの長さが所定時間Ｔｔｈ以内であり、所定回数Ｎｔｈが“４”であるとする。
【００８３】
所定時間Ｔｔｈ及び所定回数Ｎｔｈは、特に限定されないが、熱交加熱部Ｈ１の駆動及び停止が繰り返されることで、熱源機１０の熱媒の加熱効率が低すぎないこと、熱源機１０の故障を生じさせないことなどに基づいて決定されると好ましい。
【００８４】
制御部３０は、上記のカウント結果に基づいて、例えば、時刻ｔ２において、時刻ｔ１から時刻ｔ２までの長さが所定時間Ｔｔｈ以内であり、間欠運転回数Ｎ＝“４”が所定回数Ｎｔｈ＝“４”以上であると判断する。
【００８５】
そして、制御部３０は、上記の間欠運転回数Ｎの判定結果に基づいて、時刻ｔ２において、熱交加熱部Ｈ１の駆動を停止し、電気ヒータＨ２の駆動による熱媒の加熱に切り替える。この場合、制御部３０は、戻り熱媒温度の変化に基づいて、電気ヒータＨ２の通電量を制御し、戻り熱媒温度を制御してもよい。
【００８６】
例えば、図４に示すように、制御部３０は、戻り熱媒温度が温度Ｔ１から下降し始めており、温度Ｔ１と下降後の戻り熱媒温度との差が小さいと判断している間（時刻ｔ２から時刻ｔ３前まで）は、電気ヒータＨ２の通電量を小さく制御する。一方、制御部３０は、温度Ｔ１と下降後の戻り熱媒温度との差が大きいと判断している間（時刻ｔ３からｔ４前まで）は、電気ヒータＨ２の通電量を大きく制御する。
【００８７】
また、制御部３０は、熱交加熱部Ｈ１の駆動を停止し、電気ヒータＨ２の駆動による熱媒の加熱に切り替えてからの経過時間に応じて、電気ヒータＨ２の通電量が大きくなるように制御してもよい。
【００８８】
（ｉｖ）時刻ｔ４以降（切替運転）
制御部３０は、戻り熱媒温度が温度Ｔ３に低下すると、電気ヒータＨ２による熱媒の加熱を停止し、熱交加熱部Ｈ１の駆動による熱媒の加熱に切り替える。これにより、時刻ｔ４以降、戻り熱媒温度は温度Ｔ１に向かって上昇している。
【００８９】
温度Ｔ３は、温度Ｔ１未満の任意の値であるが、例えば、電気ヒータＨ２による熱媒の加熱では、温度Ｔ１との差分が大きくなり過ぎる値が設定される。
【００９０】
時刻ｔ４以降において、上述したような熱交加熱部Ｈ１の間欠運転が生じると、前述と同様に、制御部３０は、熱交加熱部Ｈ１の駆動による熱媒の加熱から、電気ヒータＨ２による熱媒の加熱に切り替える。
【００９１】
また、別の方法として、制御部３０は、時刻ｔ４以降において、第１の加熱制御により床暖房システム１を制御してもよい。例えば、制御部３０は、戻り熱媒温度が温度Ｔ１に上昇すると、熱交加熱部Ｈ１の駆動による熱媒の加熱を停止し、電気ヒータＨ２による熱媒の加熱に切り替える。逆に、制御部３０は、戻り熱媒温度が温度Ｔ４に下降すると、電気ヒータＨ２による熱媒の加熱停止し、熱交加熱部Ｈ１の駆動による熱媒の加熱に切り替える。
【００９２】
（ｂ）第２の加熱制御の流れ
次に、第１の加熱制御の流れについて図５を用いて説明する。
ステップＳ１１：制御部３０は、設置空間の所望の加熱温度Ｔ１の入力を受付部４０を介してユーザから受け付ける。制御部３０は、運転開始時の初期運転（図４の時刻ｔ０から時刻ｔ１前まで）においては、熱交加熱部Ｈ１の駆動を比例制御し、熱媒を加熱するように制御する。
【００９３】
ステップＳ１２：制御部３０は、戻り熱媒温度が初期の温度Ｔ０から温度Ｔ１に上昇したか否かを判断する。制御部３０は、戻り熱媒温度が温度Ｔ１に上昇している場合（ステップＳ１２においてＹｅｓ）には、ステップＳ１３に処理を進める。一方、制御部３０は、戻り熱媒温度が温度Ｔ１に上昇していない場合（ステップＳ１２においてＮｏ）には、熱交加熱部Ｈ１の駆動による熱媒の加熱を継続するように制御する。
【００９４】
ステップＳ１３：制御部３０は、戻り熱媒温度が温度Ｔ１に上昇しているため、熱交加熱部Ｈ１の駆動を停止する（図２の時刻ｔ１、ｔ１ｂ、ｔ１ｄ、ｔ２等：間欠運転）。
【００９５】
ステップＳ１４：制御部３０は、熱交加熱部Ｈ１の駆動から停止の１サイクルを、間欠運転回数Ｎ＝“１”としてカウントし、カウントする度にカウントを加算する。
【００９６】
ステップＳ１５：制御部３０は、間欠運転回数Ｎが、所定時間Ｔｔｈ内に所定回数Ｎｔｈ以上になったか否かを判定する。間欠運転回数Ｎが、所定時間Ｔｔｈ内に所定回数Ｎｔｈ以上になった場合（ステップＳ１５においてＹｅｓ）は、制御部３０はステップＳ１６に処理を進める。
【００９７】
一方、間欠運転回数Ｎが、所定時間Ｔｔｈ内に所定回数Ｎｔｈ未満であった場合（ステップＳ１５においてＮｏ）は、制御部３０はステップＳ２０に処理を進める。
【００９８】
ステップＳ１６：間欠運転回数Ｎが、所定時間Ｔｔｈ内に所定回数Ｎｔｈ以上になった場合は、制御部３０は、熱交加熱部Ｈ１の駆動を停止し、電気ヒータＨ２の駆動による熱媒の加熱に切り替える。
【００９９】
ステップＳ１７：制御部３０は、電気ヒータＨ２の駆動を開始した後、戻り熱媒温度が温度Ｔ３に低下したか否かを判断する。戻り熱媒温度が温度Ｔ３に低下した場合（ステップＳ１７においてＹｅｓ）には、制御部３０は、ステップＳ１８に処理を進める。一方、制御部３０は、戻り熱媒温度が温度Ｔ３に低下していない場合（ステップＳ１７においてＹｅｓ）には、制御部３０は、電気ヒータＨ２の駆動による熱媒の加熱を継続する。
【０１００】
ステップＳ１８：制御部３０は、戻り熱媒温度が温度Ｔ３に下降すると、電気ヒータＨ２による熱媒の加熱を停止する。
【０１０１】
ステップＳ１９：制御部３０は、間欠運転回数Ｎを“０”にリセットする。
【０１０２】
ステップＳ２０：制御部３０は、間欠運転回数Ｎが所定の条件を満たしていない場合には、熱交加熱部Ｈ１の駆動から停止のサイクルを継続する。そこで、制御部３０は、戻り熱媒温度が温度Ｔ４に低下したか否かを判定する。戻り熱媒温度が温度Ｔ４に低下した場合（ステップＳ２０においてＹｅｓ）には、制御部３０は、ステップＳ２１に処理を進める。
【０１０３】
一方、戻り熱媒温度が温度Ｔ４まで低下していない場合（ステップＳ２０においてＮｏ）には、制御部３０は、熱交加熱部Ｈ１の駆動停止を継続する。
【０１０４】
ステップＳ２１：制御部３０は、戻り熱媒温度が温度Ｔ４に低下した場合（ステップＳ２０においてＹｅｓ）、又は電気ヒータＨ２による熱媒の加熱を停止し、間欠運転回数Ｎをリセットすると（ステップＳ１８、Ｓ１９）、熱交加熱部Ｈ１の駆動により熱媒を加熱するように制御する。
【０１０５】
ステップＳ２２：制御部３０は、戻り熱媒温度が温度Ｔ１に上昇したか否かを判定する。戻り熱媒温度が温度Ｔ１に上昇した場合（ステップＳ２２においてＹｅｓ）は、制御部３０は、ステップＳ１３に処理を戻す。一方、戻り熱媒温度が温度Ｔ１に上昇していない場合（ステップＳ２２においてＮｏ）は、制御部３０は、熱交加熱部Ｈ１の駆動による熱媒の加熱を継続する。
【０１０６】
（ｃ）第２の加熱制御による作用効果
熱交加熱部Ｈ１の間欠運転が所定時間Ｔｔｈ内において所定回数Ｎｔｈ以上に亘って繰り返されるということは、床暖房端末２０に供給された後の熱媒の温度が、測定誤差及び外乱等により瞬間的に温度Ｔ１まで上昇したのではなく、温度Ｔ１まで上昇した後、Ｔ１温度と温度Ｔ４との間の所定の温度範囲内で継続的に上下動していることが分かる。つまり、床暖房端末２０に供給された後の熱媒の温度が、所定の温度範囲内で上下動する程度に温度Ｔ１に近い状態で変動していることを正確に把握することができる。
【０１０７】
そこで、上記の構成によれば、前述の状態になった場合には、制御部３０は、熱交加熱部Ｈ１の燃焼を停止させて電気ヒータＨ２を通電し、温度Ｔ１からの温度の低下速度を電気ヒータＨ２の通電により補完することで遅らせる。これにより、熱交加熱部Ｈ１の駆動再開を遅らせることができる。よって、電気ヒータＨ２を用いることで、熱交加熱部Ｈ１の駆動、停止及び再開を繰り返す間欠運転の回数が多くなるのを抑制できる。
【０１０８】
以上より、測定誤差及び外乱等による瞬間的な温度Ｔ１への変動に左右されることなく、熱交加熱部Ｈ１の駆動による熱媒の加熱と、電気ヒータＨ２の通電による熱媒の加熱とを切り替えることができる。また、瞬間的な温度の変動に左右されないため、瞬時の切換による熱交換器ＥＸ及び電気ヒータＨ２への負荷を減らし、床暖房システム１全体として負荷が抑制された熱交換効率の良い運転ができる。
【０１０９】
なお、もし測定誤差及び外乱等により瞬間的に温度Ｔ１へまで上昇した場合に、即座に熱交加熱部Ｈ１の駆動を停止させると、次に、その後、すぐに測定誤差及び外乱等がなくなり、温度Ｔ１から温度Ｔ２に低下すると、再び熱交加熱部Ｈ１の駆動を開始させることとなる。このような熱交加熱部Ｈ１の瞬間的な駆動停止及び再開によって燃焼排ガスが生じ、熱交換器ＥＸの熱交換率が低下し、また熱交換機ＥＸの故障等を招く。同様に、瞬間的な電気ヒータＨ２への通電によっても電気ヒータＨ２への負荷がかかり、故障等を招く。
〔他の実施形態〕
【０１１０】
（１）上記実施形態では、熱交加熱部Ｈ１の駆動による熱媒の加熱と、電気ヒータＨ２の駆動による熱媒の加熱との切り替えの基準は、戻り熱媒温度である。
しかし、切り替えの基準は、これに限定されず、例えば、床暖房端末２０及び床暖房端末２０が配置された空間等を所望の温度にするために必要な要求熱量Ｑの大小を決める要求熱量閾値Ｑｔｈであってもよい。この場合、要求熱量Ｑが要求熱量閾値Ｑｔｈ以上の場合（要求熱量Ｑ≧要求熱量閾値Ｑｔｈ）は、制御部３０は、熱交加熱部Ｈ１の駆動により熱媒の加熱を行うように制御する。このとき、制御部３０は、電気ヒータＨ２は駆動しない。
【０１１１】
一方、要求熱量Ｑが要求熱量閾値Ｑｔｈ未満の場合（要求熱量Ｑ＜要求熱量閾値Ｑｔｈ）は、制御部３０は、電気ヒータＨ２の駆動により熱媒の加熱を行うように制御する。このとき、制御部３０は、熱交加熱部Ｈ１を駆動しない。
【０１１２】
また、上記の場合においても、熱交加熱部Ｈ１の間欠運転の回数に応じて、熱交加熱部Ｈ１の駆動による熱媒の加熱から、電気ヒータＨ２の駆動による熱媒の加熱に切り替えてもよい。
【０１１３】
なお一例であるが、要求熱量Ｑは、例えば単位時間当たりで求められ、熱媒の比熱と、単位時間あたりに加熱する熱媒量と、床暖房端末２０の熱媒の所望の温度と当該単位時間における熱媒の実際の温度との差分等を用いて算出できる。
【０１１４】
（２）上記実施形態では、温度センサＴＳは、暖房戻り路Ｌ４において、電気ヒータＨ２近傍に設けられているが、温度センサＴＳの設置位置はこれに限定されない。例えば、床暖房端末２０の床温度及びそれに相当する温度が所望の温度に達しているかを判定可能な温度を検出できるのであれば、温度センサＴＳは、暖房戻り路Ｌ４及び熱媒戻り路Ｌ２のいずれの位置に設置されていてもよい。
【０１１５】
また、温度センサＴＳには、熱媒往き路Ｌ１及び暖房往き路Ｌ３の何れかの位置に設けられた温度センサＴＳＡと、暖房戻り路Ｌ４及び熱媒戻り路Ｌ２の何れかの位置に設けられた温度センサＴＳＢとが含まれていてもよい。この場合、制御部３０は、温度センサＴＳＡで検出された熱媒の温度と、温度センサＴＳＢで検出された熱媒の温度との比較結果に基づいて、床暖房端末２０の床温度が所望の温度に達しているかを判定してもよい。例えば、制御部３０は、比較結果の差分が小さい場合には、床温度が所望の温度に達していると判断してもよい。
【０１１６】
また、例えば、温度センサＴＳは、床暖房端末２０のパネル材２１の上面に設けられていて床温度を検出してもよい。また、例えば、温度センサＴＳは、床暖房端末２０が設けられた暖房対象空間に取り付けられた室温センサであってもよい。
【０１１７】
（３）上記実施形態では、電気ヒータＨ２は暖房戻り路Ｌ４に設けられている。しかし、電気ヒータＨ２の位置はこれに限定されず、例えば循環経路Ｌ１〜Ｌ４のいずれの位置に設けられていてもよい。
【０１１８】
（４）上記実施形態では、電気ヒータＨ２で加熱された熱媒は、暖房戻り路Ｌ４、熱媒戻り路Ｌ２、熱媒往き路Ｌ１、暖房往き路Ｌ３を介して床暖房端末２０に供給される。しかし、例えば、暖房戻り路Ｌ４と熱媒往き路Ｌ１とがバイパス路（図示せず）により接続されており、電気ヒータＨ２で加熱された熱媒が、暖房戻り路Ｌ４、バイパス路及び熱媒往き路Ｌ１、暖房往き路Ｌ３を介して床暖房端末２０に供給されてもよい。つまり、この場合、電気ヒータＨ２で加熱された熱媒は、熱交加熱部Ｈ１内を通流しない。
【０１１９】
このようなバイパス路の一端は、例えば暖房戻り路Ｌ４において電気ヒータＨ２の下流側に切換弁を介して接続されており、他端は熱交加熱部Ｈ１の出口に接続された熱媒往き路Ｌ１において、ポンプＰの下流側に切換弁を介して接続されている。そして、熱媒の加熱が熱交加熱部Ｈ１で行われる場合は、制御部３０は、バイパス路内を熱媒が通流しないように切換弁を制御する。一方、熱媒の加熱が電気ヒータＨ２に切り替えられた場合は、制御部３０は、暖房戻り路Ｌ４からバイパス路、バイパス路から熱媒往き路Ｌ１及び暖房往き路Ｌ３に熱媒が通流し、暖房戻り路Ｌ４から熱媒戻り路Ｌ２に熱媒が通流しないように切換弁を制御する。これにより、熱交加熱部Ｈ１での熱媒の加熱と、電気ヒータＨ２での熱媒の加熱とを物理的に切り分けてもよい。
【０１２０】
（５）上記実施形態では、制御部３０が熱源機１０に備えられている。しかし、制御部３０は、熱源機１０の外部に設けられていてもよい。例えば、床暖房システム１が、熱源機１０とは別途に、熱源機１０、熱動弁Ｖ及び操作部等と通信可能である制御部３０を備えていてもよい。また、制御部３０の機能の一部が熱源機１０に設けられ、残りの一部が熱源機１０の外部に設けられていてもよい。
【０１２１】
（６）上記実施形態の床暖房システム１では、暖房端末として１台の床暖房端末２０が含まれるが、床暖房端末２０は複数台であってもよい。さらに、上記実施形態では、暖房端末として床暖房端末２０を例に挙げたが、暖房端末としてはこれに限定されない。例えば、暖房端末としては、浴室乾燥機等であってもよい。また、暖房端末として異なる種類の装置が用いられてもよい。例えば、暖房端末として、床暖房端末及び浴室乾燥機等が用いられてもよい。
【０１２２】
（７）ポンプＰは熱媒戻り路Ｌ２に設けられているが、ポンプＰにより床暖房システム１において熱媒を循環できればよく、設置位置は熱媒戻り路Ｌ２に限定されない。例えば、ポンプＰは、熱媒往き路Ｌ１に設けられていてもよい。
【０１２３】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１２４】
１          ：床暖房システム
２０        ：床暖房端末
３０        ：制御部
Ｈ１        ：熱交加熱部
Ｈ２        ：電気ヒータ
Ｌ１〜Ｌ４  ：循環経路
ｇ          ：バーナ 
【図１】
2019152398.tif 000003
【図２】
2019152398.tif 000004
【図３】
2019152398.tif 000005
【図４】
2019152398.tif 000006
【図５】
2019152398.tif 000007